(57)【要約】【課題】データ放送画面への広告掲載を仲介するデジタル放送向け広告仲介システムを提供する。【解決手段】デジタル放送向け広告仲介システム１は、広告仲介サーバ２０と、放送システム３０とを含む。広告仲介サーバ２０は、広告主から提供された広告素材データを登録する広告素材データ登録手段と、広告素材登録手段により登録された広告素材データに基づき、広告タグを生成し、生成した広告タグを発行する広告タグ発行手段と、広告タグ発行手段により発行された広告タグによる広告成果を記録する広告成果記録手段とを有する。放送システム３０は、広告タグ発行手段により発行された広告タグを、データ放送画面に埋め込む広告タグ埋め込み手段と、広告タグ埋め込み手段により広告タグを埋め込んだデータ放送画面を放送する放送手段とを有する。【選択図】図１
2011188154.tif 000002
【特許請求の範囲】
【請求項１】
広告仲介サーバと、放送システムとを含むデジタル放送向け広告仲介システムであって、
前記広告仲介サーバは、
広告主から提供された広告素材データを登録する広告素材データ登録手段と、
前記広告素材登録手段により登録された広告素材データに基づき、広告タグを生成し、生成した広告タグを発行する広告タグ発行手段と、
前記広告タグ発行手段により発行された広告タグによる広告成果を記録する広告成果記録手段と
を有し、
前記放送システムは、
前記広告タグ発行手段により発行された広告タグを、データ放送画面に埋め込む広告タグ埋め込み手段と、
前記広告タグ埋め込み手段により広告タグを埋め込んだデータ放送画面を放送する放送手段と
を有する
デジタル放送向け広告仲介システム。
【請求項２】
前記広告素材データ登録手段は、広告主から提供された広告素材データと、広告主により指定された関連キーワードとを、互いに関連付けて登録し、
前記広告タグ発行部は、前記広告素材登録手段により登録された広告素材データに基づき、広告タグを生成し、生成した広告タグを、該広告素材データに関連付けられた関連キーワードを関連付けて発行し、
前記広告タグ埋め込み部は、前記広告タグ発行手段により発行された広告タグを、該広告タグに関連付けられた関連キーワードに基づき、データ放送画面に埋め込む
請求項１に記載のデジタル放送向け広告仲介システム。
【請求項３】
前記広告タグ埋め込み部は、前記広告タグ発行手段により発行された広告タグを、該広告タグに関連付けられた関連キーワードをテキスト情報として含むデータ放送画面に埋め込む
請求項２に記載のデジタル放送向け広告仲介システム。
【請求項４】
前記広告タグ埋め込み部は、前記広告タグ発行手段により発行された広告タグを、該広告タグに関連付けられた関連キーワードを番組表の番組内容として含む番組のデータ放送画面に埋め込む
請求項２に記載のデジタル放送向け広告仲介システム。
【請求項５】
データ放送画面に表示された前記広告タグは、クリックに応じて、受像機から郵便番号を取得し、取得した郵便番号を広告仲介サーバに送信し、
前記広告仲介サーバは、
広告タグから受信した郵便番号に基づき、広告タグによる広告成果を地域ごとに集計する広告成果集計部を
さらに有する
請求項１又は２に記載のデジタル放送向け広告仲介システム。
【発明の詳細な説明】
【技術分野】
【０００１】
本発明は、デジタル放送向け広告仲介システムに関する。
【背景技術】
【０００２】
例えば、特許文献１には、放送コンテンツをテキストデータ化し、商品、サービス等の情報、又は、放送コンテンツに関連する商品、サービス等の情報としての商品・サービス情報が蓄積されたデータベースと、通信コンテンツに含まれる、通信コンテンツのカテゴリー、キーワード等、通信コンテンツに含まれる情報のジャンル、トピック等を特定するジャンル等特定情報を取得し、取得されたジャンル等特定情報と商品・サービス情報とを照合する情報照合手段と、照合の結果、ジャンル、トピック等に適合する商品・サービス情報をデータベースから取得して、取得した商品・サービス情報を通信コンテンツの一部として通信端末に表示可能に出力させる情報出力手段とを備える情報提供装置が開示されている。
【先行技術文献】
【特許文献】
【０００３】
【特許文献１】特開２００９−８０６０６号公報
【発明の概要】
【発明が解決しようとする課題】
【０００４】
本発明は、データ放送画面への広告掲載を仲介するデジタル放送向け広告仲介システムを提供する。
【課題を解決するための手段】
【０００５】
本発明に係る広告仲介システムは、広告仲介サーバと、放送システムとを含むデジタル放送向け広告仲介システムであって、前記広告仲介サーバは、広告主から提供された広告素材データを登録する広告素材データ登録手段と、前記広告素材登録手段により登録された広告素材データに基づき、広告タグを生成し、生成した広告タグを発行する広告タグ発行手段と、前記広告タグ発行手段により発行された広告タグによる広告成果を記録する広告成果記録手段とを有し、前記放送システムは、前記広告タグ発行手段により発行された広告タグを、データ放送画面に埋め込む広告タグ埋め込み手段と、前記広告タグ埋め込み手段により広告タグを埋め込んだデータ放送画面を放送する放送手段とを有する。
【０００６】
好適には、前記広告素材データ登録手段は、広告主から提供された広告素材データと、広告主により指定された関連キーワードとを、互いに関連付けて登録し、前記広告タグ発行部は、前記広告素材登録手段により登録された広告素材データに基づき、広告タグを生成し、生成した広告タグを、該広告素材データに関連付けられた関連キーワードを関連付けて発行し、前記広告タグ埋め込み部は、前記広告タグ発行手段により発行された広告タグを、該広告タグに関連付けられた関連キーワードに基づき、データ放送画面に埋め込む。
【０００７】
好適には、前記広告タグ埋め込み部は、前記広告タグ発行手段により発行された広告タグを、該広告タグに関連付けられた関連キーワードをテキスト情報として含むデータ放送画面に埋め込む。
【０００８】
好適には、前記広告タグ埋め込み部は、前記広告タグ発行手段により発行された広告タグを、該広告タグに関連付けられた関連キーワードを番組表の番組内容として含む番組のデータ放送画面に埋め込む。
【０００９】
好適には、データ放送画面に表示された前記広告タグは、クリックに応じて、受像機から郵便番号を取得し、取得した郵便番号を広告仲介サーバに送信し、前記広告仲介サーバは、広告タグから受信した郵便番号に基づき、広告タグによる広告成果を地域ごとに集計する広告成果集計部をさらに有する。
【発明の効果】
【００１０】
本発明によれば、データ放送画面への広告掲載を仲介することができる。
【図面の簡単な説明】
【００１１】
【図１】デジタル放送向け広告仲介システム１の全体構成を示す図である。
【図２】広告仲介プログラム１００及び放送プログラム２００の機能構成を示す図である。
【図３】広告素材データ登録ＤＢ１０４のデータ項目を例示する図である。
【図４】広告成果記録ＤＢ１０８のデータ項目を例示する図である。
【図５】データ放送画面３００の画面遷移を例示する図である。
【発明を実施するための形態】
【実施例１】
【００１２】
図１は、デジタル放送向け広告仲介システム１の全体構成を例示する図である。
図１に例示するように、デジタル放送向け広告仲介システム１は、広告仲介サーバ２０と、放送システム３０とを含む。広告仲介サーバ２０と、放送システム３０とは、通信ネットワーク６０を介して接続されている。また、広告仲介サーバ２０には、さらに、広告主端末１０、受像機４０、及び商用サーバ５０が、通信ネットワーク６０を介して接続されている。なお、通信ネットワーク６０は、特に限定するものではなく、例えば、インターネット、専用線、又は携帯電話通信網などにより構成される。
【００１３】
広告主端末１０は、ＣＰＵ及び記憶媒体などを備えるコンピュータであり、広告主により入力された広告素材データを、通信ネットワーク６０を介して、広告仲介サーバ２０に登録する。なお、広告素材データは、広告タグを生成するもとになる素材であり、例えば、画像、テキスト、及び広告主が運営する商用サイトのＵＲＬ等を含むものである。
【００１４】
広告仲介サーバ２０は、ＣＰＵ及び記憶媒体などを備えるコンピュータであり、広告仲介プログラム１００（図２を用いて後述）を実行する。広告仲介サーバ２０は、広告仲介プログラム１００により実現される機能により、主に広告主端末１０から送信された広告素材データの登録、広告タグの発行、広告タグによる広告成果の記録、広告成果の集計、及び広告成果の通知などを行う。なお、広告タグは、ＢＭＬ（Broadcast Markup Language）などのページ記述言語で記述されるものであり、ＢＭＬなどで記述されたデータ放送画面の一部として埋め込まれることにより、データ放送画面に、広告主が登録する商用サイトへリンクする広告を掲載する。また、本例では、広告タグは、広告主識別情報（図３を用いて後述）と、受像機４０から郵便番号を取得するスクリプトとを含む。
【００１５】
放送システム３０は、ＣＰＵ及び記憶媒体などを備えるコンピュータ群であり、放送プログラム２００（図２を用いて後述）を実行する。放送システム３０は、放送プログラム２００により実現される機能により、主にデータ放送画面への広告掲載、番組コンテンツの放送などを行う。なお、データ放送画面への広告掲載は、広告仲介サーバ２０により発行された広告タグをデータ放送画面に埋め込むことにより行われる。また、番組コンテンツは、デジタル放送用の映像、音声、及びデータ（例えば、データ放送画面及び番組表）などを含むものである。
【００１６】
受像機４０は、放送システム３０により放送された番組コンテンツに含まれるデータ放送画面を、ＢＭＬブラウザなどを用いて表示する。このとき、視聴者は、データ放送画面に掲載された広告を選択することにより、商用サイトを閲覧することができる。
【００１７】
商用サーバ５０は、ページ記述言語で記述された商用サイトを、通信ネットワーク６０を介して公開する。例えば、商用サーバ５０は、ＢＭＬサーバ又はＷｅｂサーバなどである。
本例では、商用サーバ５０は、ＢＭＬサーバであり、主にＢＭＬで記述され、かつ広告仲介サーバ２０が発行する広告タグによりリンクされる商用サイトを、通信ネットワーク６０を介して公開する。
【００１８】
以上説明した構成によれば、デジタル放送向け広告仲介システム１は、番組コンテンツに含まれるデータ放送画面への広告掲載を仲介することができる。つまり、デジタル放送向け広告仲介システム１は、従来はインターネットなどの通信ネットワーク上で公開されるＷｅｂページに対して行われていた広告仲介サービスを、データ放送に対しても実現することができる。
【００１９】
図２は、広告仲介プログラム１００及び放送プログラム２００の機能構成を例示する図である。
図２に例示するように、広告仲介プログラム１００は、広告登録部１０２と、広告タグ発行部１０６と、広告成果記録部１１０と、広告成果集計部１１２と、広告成果通知部１１４とを有する。また、広告仲介プログラム１００は、広告素材登録データベース（広告素材登録ＤＢ）１０４と、広告成果記録データベース（広告成果記録ＤＢ）１０８とに対して、読み書きする。
放送プログラム２００は、広告タグ埋め込み部２０２と、放送部２０６とを有する。また、放送プログラム２００は、番組コンテンツＤＢ２０４に対して、読み書きする。
なお、広告仲介プログラム１００は、広告仲介サーバ１００のハードウェア資源（ＣＰＵ及び記録媒体など）を利用して実行される。また、放送プログラム１００は、放送システム３０を構成するコンピュータ群のハードウェア資源（ＣＰＵ及び記録媒体など）を利用して実行される。
【００２０】
広告登録部１０２は、広告主から提供された広告素材データを登録する。
本例では、広告登録部１０２は、広告主端末１０から送信された広告素材データと、広告主識別情報と、広告主端末１０から送信された関連キーワードとを、互いに関連付けて広告素材登録ＤＢ１０４に登録する。
【００２１】
広告タグ発行部１０６は、広告登録部１０２により広告素材登録ＤＢ１０４に登録された広告素材データに基づき、広告タグを生成し、生成した広告タグを発行する。
本例では、広告タグ発行部１０６は、発行した広告タグに、広告素材登録ＤＢ１０４において、この広告タグのもとになった広告素材データに関連付けられている関連キーワードを関連付ける。
また、本例では、広告タグ発行部１０６は、広告タグの発行において、広告タグ識別情報と、広告素材データとを、互いに関連付けて広告成果記録ＤＢ１０８に登録する。
【００２２】
広告成果記録部１１０は、広告タグ発行部１０６により発行された広告タグによる広告成果を記録する。
本例では、広告成果記録部１１０は、広告タグから商用サイト５０へのリンクをリダイレクトすることにより、広告タグから商用サイト５０へのリンク回数をカウントし、カウントしたリンク回数を広告成果として、広告成果記録ＤＢ１０８に記録する。
より具体的には、広告タグは、広告成果記録部１１０により商用サイト５０へのリンクをリダイレクトされるとき、広告タグに含まれる広告主識別情報と、広告タグに含まれるスクリプトにより受像機４０から取得した郵便番号とを、広告成果記録部１１０に送信する。広告成果記録部１１０は、広告タグから受信した広告主識別情報に関連付けて、広告タグから受信した郵便番号ごとのクリック回数をカウントアップする。また、広告成果記録部１１０は、広告タグからのリンクを、広告タグから受信した広告主識別情報に関連付けられている広告素材データに含まれる商用サイト５０へのＵＲＬへリダイレクトする。なお、広告タグに含まれるスクリプトにより受像機４０から取得される郵便番号は、受像機４０が受信設定において記憶したものである。
【００２３】
広告成果集計部１１２は、広告成果記録部１１０により記録された広告成果を集計する。
本例では、広告成果集計部１１２は、広告成果記録部１１０により記録された郵便番号及びリンク回数に基づき、ある一定の地域（例えば、県、市、又は町）ごとのリンク回数を集計する。
【００２４】
広告成果通知部１１４は、広告成果集計部１１２により集計された広告成果を、広告主及び放送局に通知する。
本例では、広告成果通知部１１４は、電子メール又はＷｅｂページなどの各種通知手段を用いて、広告成果集計部１１２により集計された地域ごとのリンク回数を広告主又は放送局に通知する。また、広告成果通知部１１４は、広告成果集計部１１２により集計された地域ごとのリンク回数に基づき、広告掲載料及び広告報酬料を算出し、算出した広告掲載料及び広告報酬料をそれぞれ広告主及び放送局に通知する。なお、広告掲載料及び広告報酬料の算出において、広告成果通知部１１４は、番組の視聴率を反映させてもよい。
【００２５】
広告タグ埋め込み部２０２は、広告タグ発行部１０６により発行された広告タグを、データ放送画面に埋め込む。
本例では、広告タグ埋め込み部２０２は、広告タグ発行部１０６により発行された広告タグに関連付けられた関連キーワードに基づき、データ放送画面に広告タグを埋め込む。
より具体的には、広告タグ埋め込み部２０２は、広告タグ発行部１０６により発行された広告タグに関連付けられた関連キーワードをテキスト情報として含むデータ放送画面を番組コンテンツＤＢ２０４から選択し、選択したデータ放送画面に広告タグを埋め込む。なお、データ放送画面が含むテキスト情報は、番組内容を反映するものであることが好ましい。また、番組コンテンツＤＢ２０４には、図示しない自動番組制御装置（ＡＰＳ（Automatic Program Control System））により制御される番組コンテンツが格納されている。
【００２６】
放送部２０４は、番組コンテンツＤＢ２０６に格納されている番組コンテンツを、放送用データ（例えば、ＭＰＥＧ２ ＴＳ）に変換し、放送する。
本例では、放送部２０８は、変換した放送用データを、地上波又はＣＳ／ＢＳ波にのせて、放送する。なお、放送部２０８は、変換した放送用データを、ＣＡＴＶ網又はＩＰ網などを介して、放送してもよい。
【００２７】
図３は、広告素材登録ＤＢ１０４のデータ項目を例示する図である。
図３に例示するように、広告素材登録ＤＢ１０４は、データ項目として、広告主識別情報と、広告素材データと、関連キーワードとを有する。
広告主識別情報は、広告主を一意に識別する情報（例えば、文字、数字、又は記号などの組み合わせにより表わされるもの）であり、広告素材データの登録において広告主に対して割り当てられる。
広告素材データは、広告タグを生成するもとになる素材（例えば、画像、テキスト、又は商用サイトのＵＲＬ等）であり、広告主により任意に提供される。
関連キーワードは、広告素材データに関連するキーワードを表わす文字列であり、広告主により任意に指定される。
【００２８】
図４は、広告成果記録ＤＢ１０８のデータ項目を例示する図である。
図４に例示するように、広告成果記録ＤＢ１０８は、データ項目として、広告タグ識別情報と、地域情報と、リンク回数と、広告素材データとを有する。
広告タグ識別情報は、発行された広告タグを一意に識別する情報（例えば、文字、数字、又は記号などの組み合わせにより表わされるもの）であり、広告タグ発行時に広告タグに対して割り当てられる。また、広告タグ識別情報は、発行した広告タグのもとになった広告素材データを提供した広告主と、広告タグの発行先である放送局とを、一意に識別する情報でもある。
地域情報は、広告タグが表示された受像機４０が設置されている地域を表わす情報である。本例では、地域情報は、郵便番号を表わす。
リンク回数は、発行した広告タグにより商用サイトへリンクした回数を表わす。
広告素材データは、広告素材登録ＤＢ１０４の広告素材データと一致する。
【００２９】
図５は、データ放送画面３００の画面遷移を例示する図である。
図５に例示するように、データ放送画面３００は、中央に番組映像３０２を表示し、両端に複数の広告タグ３０４を表示する。視聴者により広告タグ３０４が選択されると、データ放送画面３００は、商用サイト画面３１０へと遷移する。商用サイト画面３１０は、左上部に番組映像３０２を表示し、それ以外の部分に商用サイトから受信した商用コンテンツ３１２を表示する。広告タグをデータ放送画面３００に配置するレイアウトは、特に限定するものではなく、任意である。
【００３０】
以上説明した構成及び動作によれば、放送システム３０は、広告仲介サーバ２０から発行される広告タグを、関連キーワードに基づき、データ放送画面に埋め込むことで、番組内容を反映した広告を効果的に掲載することができる。
また、放送局は、広告仲介サーバ２０が、地域ごとのリンク回数を集計し、通知してくれることにより、広告タグがどの地域に対して効果的であるかを知ることができる。これにより、放送局は、放送する地域に応じて、効果的な広告をデータ放送画面に掲載することができる。
【００３１】
［変形例１］
広告タグ埋め込み部２０２は、広告タグに関連付けられた関連キーワードと、番組コンテンツに含まれる番組表（ＥＩＴ（Event Information Table）情報）とを定期的に照合し、番組表の番組内容に関連キーワードを含む番組のデータ放送画面に、広告タグを埋め込んでもよい。
【００３２】
本変形例によれば、広告タグ埋め込み部２０２は、番組コンテンツに含まれる番組表の更新に合わせて、データ放送画面に掲載する広告を切り替えることができる。
［変形例２］
上記実施例では、広告成果記録部１１０は、広告タグによる商用サイトへのリンク回数を広告成果として記録したが、これに限定するものではなく、広告タグからリンクした商用サイトにおいて行われた各種アクション（例えば、登録又は決済）の回数又は金額などを広告成果として記録してもよい。
なお、上記実施例及び変形例では、データ放送に本発明を適用した具体例を説明したが、ＩＰ通信網を利用した動画配信システムなど他のデジタル放送システムにも同様に本発明を提供できる。
【符号の説明】
【００３３】
１      デジタル放送向け広告仲介システム
１０    広告主端末
２０    広告仲介サーバ
３０    放送システム
４０    受像機
５０    商用サーバ
１００  広告仲介プログラム
１０２  広告素材データ登録部
１０４  広告素材データ登録ＤＢ
１０６  広告タグ発行部
１０８  広告成果記録ＤＢ
１１０  広告成果記録部
１１２  広告成果集計部
１１４  広告成果通知部
２００  放送プログラム
２０２  広告タグ埋め込み部
２０４  番組コンテンツＤＢ
２０６  放送部
３００  データ放送画面
【図１】
2011188154.tif 000003
【図２】
2011188154.tif 000004
【図３】
2011188154.tif 000005
【図４】
2011188154.tif 000006
【図５】
2011188154.tif 000007